(57)【要約】【課題】  教習場等において幼児、学童、高齢者等に信号機のある交差点での歩行者、自転車等の安全な横断の仕方を教育するための教育用交通信号装置を提供する。【解決手段】  青、黄、赤の発光ダイオード又は液晶による信号灯４を備え、充電式電池又は太陽電池１１の前記信号灯４の電源と受信装置１２及び信号切り替え装置１３を前記信号灯４のケーシング９に内蔵し、前記信号灯４と連係して止まれ、進めの各表示灯が制御される歩行者用灯５とが支柱６に装備され交差点１に移動可能に設置する可搬式の信号機３ａ〜３ｄと、前記信号機３ａ〜３ｄの信号灯４及び歩行者用灯５を遠隔操作により制御するために受信装置１２に発信する携帯可能なリモートコントローラ８とから構成した。【選択図】        図１
2005099889.tif 000002
【特許請求の範囲】
【請求項１】
信号機のある交差点で歩行者、自転車等の安全な横断の仕方を教習場等で教育するための教育用交通信号装置であって、青、黄、赤の発光ダイオード又は液晶による信号灯を備え、充電式電池又は太陽電池の前記信号灯の電源と受信装置及び信号切り替え装置を前記信号灯のケーシングに内蔵し、前記信号灯と連係して止まれ、進めの各表示灯が制御される歩行者用灯とが支柱に装備され交差点に移動可能に設置する可搬式の信号機と、前記信号機の信号灯及び歩行者用灯を遠隔操作により制御するために受信装置に発信する携帯可能なリモートコントローラとからなる教育用交通信号装置。
【発明の詳細な説明】
【技術分野】
【０００１】
本発明は、教習場等において幼児、学童、高齢者等に信号機のある交差点での歩行者、自転車等の安全な横断の仕方を教育するための教育用交通信号装置に関するものである。
【背景技術】
【０００２】
幼児、学童、高齢者等に信号機のある交差点での歩行者、自転車等の安全な横断の仕方を教育するために教習場等で教育用交通信号装置が用いられている。従来の教育用交通信号装置は信号機と制御機の間をケーブルで接続しており、教育中に子供や高齢者が足をケーブルに引っ掛けたりして危険で安全な状態にケーブルを処理することが大変であった。
【０００３】
また、信号機は制御機に交流１００Ｖ５０〜６０ＨＺ接続しなければならず電源のない場所や電源の遠い場所で使用することが不便であった。さらに、信号灯は一般に白熱球を使用しており、消費電力が多く電球切れで交換作業を必要としていた。さらに加えて、教習場等においては指導員が子供や高齢者のそばや任意の場所から信号灯の切り替え制御することが便利であるが、従来の信号灯の切り替え制御は固定の高価な制御装置によって行っているため不便であった。
【特許文献１】特開２００２−１４０７９４公報
【特許文献１】特開２００３−８５６８８公報
【発明の開示】
【発明が解決しようとする課題】
【０００４】
本発明の目的は、信号灯の切り替えを任意の場所から無線操作で行うことを可能とし、電源のない場所でも使用することができ、少ない消費電力で作動可能にした教育用交通信号装置を提供することである。
【課題を解決するための手段】
【０００５】
上記の目的を達成するための本発明は、請求項１に記載の通り、信号機のある交差点で歩行者、自転車等の安全な横断の仕方を教習場等で教育するための教育用交通信号装置であって、青、黄、赤の発光ダイオード又は液晶による信号灯を備え、充電式電池又は太陽電池の前記信号灯の電源と受信装置及び信号切り替え装置を前記信号灯のケーシングに内蔵し、前記信号灯と連係して止まれ、進めの各表示灯が制御される歩行者用灯とが支柱に装備され交差点に移動可能に設置する可搬式の信号機と、前記信号機の信号灯及び歩行者用灯を遠隔操作により制御するために受信装置に発信する携帯可能なリモートコントローラとからなる構成を特徴とするものである。
【発明の効果】
【０００６】
本発明によると、信号灯の切り替えを無線操作で行うためケーブルレス化し、教育中に子供や高齢者が足をケーブルに引っ掛けたりする危険が排除され安全性が確保されると共に、指導員は任意の場所から無線による遠隔操作で信号灯の切り替えを必要に応じて適宜行うことができるので教育指導に便利性を有している。また、電源のない場所でも使用することができ、少ない消費電力で作動することができ、信号機は可搬式であるため、適正な場所に移動して設置することが可能であり、教育具として非常に便利な効果を有しているものである。
【発明を実施するための最良の形態】
【０００７】
以下本発明を実施するための最良の形態について図面に基づいて説明する。図１において、１は教習場等に作った教育用の十字交差点であり、２は前記交差点１における横断歩道である。この交差点１の四つ角に信号機３ａ〜３ｄが設置されている。この信号機３ａ〜３ｄは移動可能な可搬式である。すなわち、台座７に立設した支柱６の上端に青４ａ、黄４ｂ、赤４ｃの信号灯４が取り付けられており、この信号灯４より下方部位に止まれの表示灯５ａ、進めの表示灯５ｂの歩行者用灯５が取り付けられている。また、前記４基の信号機３ａ〜３ｄのうちの何れか１つで十分であるが、信号機３ａ〜３ｄの信号灯４及び歩行者用灯５を無線により遠隔操作するための携帯可能なリモートコントローラ８が着脱可能に取り付けられている。
【０００８】
図２及び図３で示す信号灯４の青４ａ、黄４ｂ、赤４ｃは発光ダイオード又は液晶によるものであり、その電源は充電式電池又は太陽電池１１が信号灯４のケーシング９に内蔵されている。また、信号灯４のケーシング９には受信装置１２と信号切り替え装置１３が内蔵されており、受信装置１２にはリモートコントローラ８から発信する信号を受信するためのアンテナ１０を備えている。さらに、信号灯４のケーシング９の裏側には歩行者用灯５用のコネクタ１５を備えている。図２及び図３において符号１４は信号灯４を支柱６の上端に取り付けるためのパイプ受けである。
【０００９】
図４で示すように前記信号灯４のケーシング９の裏側の歩行者用灯５用のコネクタ１５にケーブル１６を介して接続した歩行者用灯５は、その止まれの表示灯５ａ及び進めの表示灯５ｂを信号灯４の信号切り替えと連係して点灯及び消灯が制御されるようになっている。
【００１０】
リモートコントローラ８は図５で示すように、各種の制御を行うための押し釦手動スイッチを有し、これより発信する信号を信号灯４のアンテナ１０を介して受信装置１２で受信して青４ａ、黄４ｂ、赤４ｃの信号灯４と歩行者用灯５の止まれの表示灯５ａ及び進めの表示灯５ｂの点灯及び消灯の制御を遠隔操作にて行うものである。
【００１１】
このリモートコントローラ８は支柱６に着脱自在に取り付けておき、支柱６に取り付けた状態で歩行者や自転車等で横断歩道を横断したい者が操作したり指導者が操作する。また、必要に応じて取り外して携帯し任意の場所で操作する。
【００１２】
前記リモートコントローラ８は図６の回路ブロック図に示すように、押し釦手動スイッチによる信号方式設定器８ａ、ワンチップマイコンの信号変換回路８ｂ、青時間調整器８ｃ、電池８ｄ及び送信機８ｅで構成されている。
【００１３】
また、信号灯４は図７の回路ブロック図に示すように、電池１１、受信装置１２、ワンチップマイコンの信号変換回路１７、ドライブ回路１８及び昇圧電源変換１９で構成されており、ドライブ回路１８に信号灯４及び歩行者用灯５が接続されている。
【００１４】
上記の構成によりリモートコントローラ８の操作により信号方式に従って各信号を信号変換回路８ｂのワンチップマイコンで４ビットの出力に変換して送信機８ｅに入力する。送信機８ｅはこの信号でキャリアー周波数を変調して電波にて送信する。信号灯４の受信装置１２ではこの電波を受信し４ビットで出力し、４ビットの出力はワンチップマイコンの信号変換回路１７で信号灯４の青４ａ、黄４ｂ、赤４ｃ及び歩行者用灯５の止まれの表示灯５ａ（赤）、進めの表示灯５ｂ（青）に信号分配しドライブ回路１８て通して各信号機３ａ〜３ｄの灯器を駆動させる。尚、電源は昇圧し直列接続して各灯器に内蔵した電池１１で点灯する。この電池１１は４．５Ｖ〜６．０Ｖを使用して効率を良くするため昇圧して点灯させる。
【００１５】
以上のように本発明の教育用交通信号装置によれば、教習場等に模擬交差点と信号灯を設置することで実際と同様の信号機のある交差点を具現することができ、幼児、学童、高齢者等に実際と同様の信号機のある交差点での歩行者、自転車等の安全な横断の仕方を教育することができる。
【００１６】
また、信号装置はリモートコントローラ８で遠隔操作することにより各信号装置をケーブルで接続することがなく、従って、教育中に子供や高齢者が足をケーブルに引っ掛けたりする危険が排除され安全な状態で教育ができる。
【００１７】
さらに、信号灯４は可搬式であるから、教習場等で必要に応じて適正な場所に移動して設置することができ、また、例えば、学校の運動場で教育する場合は運動場に本発明の信号装置を運び込んで模擬交差点を線引きして本発明の信号装置を設置し、幼児、学童、高齢者等を教育することができる。
【図面の簡単な説明】
【００１８】
【図１】本発明装置を交差点に配置した斜視図
【図２】信号灯の正面図
【図３】信号灯の右側面図
【図４】信号灯と歩行者灯との接続状態を示す図
【図５】リモートコントローラの正面図
【図６】リモートコントローラの回路図
【図７】信号灯の回路図
【符号の説明】
【００１９】
１            交差点
２            横断歩道
３ａ〜３ｄ    信号機
４            信号灯
５            歩行者灯
６            支柱
７            台座
８            リモートコントローラ
９            ケーシング
１０            アンテナ
１１            充電式電池又は太陽電池
１２            受信装置
１３            信号切り替え装置
【図１】
2005099889.tif 000003
【図２】
2005099889.tif 000004
【図３】
2005099889.tif 000005
【図４】
2005099889.tif 000006
【図５】
2005099889.tif 000007
【図６】
2005099889.tif 000008
【図７】
2005099889.tif 000009